(57)【要約】【課題】収納庫の扉の裏面に設けられる収納具の構造を簡素化することができる収納庫を提供する。【解決手段】収納庫は、前面に開口部を有する収納庫本体と、前記開口部を回動により開閉する扉と、前記扉の裏面に設けられ、前記扉の裏面との間に収納空間を形成する収納具と、を備え、前記扉は、周縁部において裏面側に折り曲げられた折り曲げ部と、前記折り曲げ部と前記扉の裏面との間に形成された間隙とを有し、前記間隙は、前記扉の左右方向の一方側端部に形成された第１間隙と、前記扉の左右方向の他方側端部に形成された第２間隙と、前記扉の下端部に形成された第３間隙と、を含み、前記収納具は、前記第１間隙に挿入される第１挿入部と、前記第２間隙に挿入される第２挿入部と、前記第３間隙に挿入される第３挿入部と、上がり止め部と、を有している。【選択図】図１３
2019058276.tif 000002
【特許請求の範囲】
【請求項１】
前面に開口部を有する収納庫本体と、
前記開口部を回動により開閉する扉と、
前記扉の裏面に設けられ、前記扉の裏面との間に収納空間を形成する第１収納具と、
を備え、
前記扉は、周縁部において裏面側に折り曲げられた折り曲げ部と、前記折り曲げ部と前記扉の裏面との間に形成された間隙とを有し、
前記間隙は、前記扉の左右方向の一方側端部に形成された第１間隙と、前記扉の左右方向の他方側端部に形成された第２間隙と、前記扉の下端部に形成された第３間隙と、を含み、
前記第１収納具は、前記第１間隙に挿入される第１挿入部と、前記第２間隙に挿入される第２挿入部と、前記第３間隙に挿入される第３挿入部と、上がり止め部と、を有している、
ことを特徴とする収納庫。
【請求項２】
前記第１収納具は、左右方向の位置を規定するための規定部をさらに備え、
前記折り曲げ部は、前記規定部が係合する被係合部をさらに備えている、
ことを特徴とする請求項１に記載の収納庫。
【請求項３】
前記第１収納具は、
前記第１挿入部を前記第１間隙に挿入し、
挿入した前記第１挿入部を支点にして前記第１収納具を回転させることにより前記第２挿入部を前記第２間隙に挿入し、
前記第１挿入部及び前記第２挿入部が前記第１間隙及び前記第２間隙に挿入された状態で前記第１収納具を下方に移動して、前記第３挿入部を前記第３間隙に挿入するとともに、前記上がり止め部を前記折り曲げ部に係合させる、ことにより前記扉の裏面に取り付けられる、
ことを特徴とする請求項１又は２に記載の収納庫。
【請求項４】
前記第１収納具は、前記第１収納具及び前記扉とは別体の部材を介在することなく、前記扉に固定されている、
ことを特徴とする請求項１から３の何れか１項に記載の収納庫。
【請求項５】
前記扉の裏面に設けられ、前記収納空間を仕切る第２収納具をさらに備え、
前記第２収納具は、前記第１収納具に着脱自在に取り付けられている、
ことを特徴とする請求項１から４の何れか１項に記載の収納庫。
【請求項６】
請求項１から５の何れか１項に記載の収納庫に前記第１収納具を取り付ける方法であって、
前記第１挿入部を前記第１間隙に挿入するステップと、
挿入した前記第１挿入部を支点にして前記第１収納具を回転させることにより前記第２挿入部を前記第２間隙に挿入するステップと、
前記第１挿入部及び前記第２挿入部が前記第１間隙及び前記第２間隙に挿入された状態で前記第１収納具を下方に移動して、前記第３挿入部を前記第３間隙に挿入するとともに、前記上がり止め部を前記折り曲げ部に係合させるステップと、
を含むことを特徴とする収納具の取付方法。
【発明の詳細な説明】
【技術分野】
【０００１】
本発明は、収納庫及び収納具の取付方法に関する。
【背景技術】
【０００２】
従来、書類等の収納物を収納する収納庫において、収納空間を有効利用するために収納空間を仕切るための仕切り部材が用いられている。例えば、収納空間に棚板等の仕切り部材を設置して収納空間を上下に分割し、それぞれの収納空間に収納物を収納することにより、収納空間の利用効率を高めている。また、例えば特許文献１には、収納庫の前面に設けられた扉の裏面に小物等を収納可能な収納具を取り付けることにより、収納空間の利用効率をさらに高めることができる収納庫が開示されている。
【先行技術文献】
【特許文献】
【０００３】
【特許文献１】特開２００２−３４６７７号公報
【発明の概要】
【発明が解決しようとする課題】
【０００４】
しかしながら、従来の収納具は、扉の裏面に取り付けるための構造が複雑化するという問題が生じる。
【０００５】
本発明は、上記実情に鑑みてなされたものであり、その目的は、収納庫の扉の裏面に設けられる収納具の構造を簡素化することができる収納庫を提供することにある。
【課題を解決するための手段】
【０００６】
上記課題を解決するために、本発明に係る収納庫は、前面に開口部を有する収納庫本体と、前記開口部を回動により開閉する扉と、前記扉の裏面に設けられ、前記扉の裏面との間に収納空間を形成する第１収納具と、を備え、前記扉は、周縁部において裏面側に折り曲げられた折り曲げ部と、前記折り曲げ部と前記扉の裏面との間に形成された間隙とを有し、前記間隙は、前記扉の左右方向の一方側端部に形成された第１間隙と、前記扉の左右方向の他方側端部に形成された第２間隙と、前記扉の下端部に形成された第３間隙と、を含み、前記第１収納具は、前記第１間隙に挿入される第１挿入部と、前記第２間隙に挿入される第２挿入部と、前記第３間隙に挿入される第３挿入部と、上がり止め部と、を有している、ことを特徴とする。
【０００７】
また本発明に係る収納庫では、前記第１収納具は、左右方向の位置を規定するための規定部をさらに備え、前記折り曲げ部は、前記規定部が係合する被係合部をさらに備えてもよい。
【０００８】
また本発明に係る収納庫では、前記第１収納具は、前記第１挿入部を前記第１間隙に挿入し、挿入した前記第１挿入部を支点にして前記第１収納具を回転させることにより前記第２挿入部を前記第２間隙に挿入し、前記第１挿入部及び前記第２挿入部が前記第１間隙及び前記第２間隙に挿入された状態で前記第１収納具を下方に移動して、前記第３挿入部を前記第３間隙に挿入するとともに、前記上がり止め部を前記折り曲げ部に係合させる、ことにより前記扉の裏面に取り付けられてもよい。
【０００９】
また本発明に係る収納庫では、前記第１収納具は、前記第１収納具及び前記扉とは別体の部材を介在することなく、前記扉に固定されてもよい。
【００１０】
また本発明に係る収納庫では、前記扉の裏面に設けられ、前記収納空間を仕切る第２収納具をさらに備え、前記第２収納具は、前記第１収納具に着脱自在に取り付けられてもよい。
【００１１】
また前記収納庫に前記第１収納具を取り付ける方法は、前記第１挿入部を前記第１間隙に挿入するステップと、挿入した前記第１挿入部を支点にして前記第１収納具を回転させることにより前記第２挿入部を前記第２間隙に挿入するステップと、前記第１挿入部及び前記第２挿入部が前記第１間隙及び前記第２間隙に挿入された状態で前記第１収納具を下方に移動して、前記第３挿入部を前記第３間隙に挿入するとともに、前記上がり止め部を前記折り曲げ部に係合させるステップと、を含んでもよい。
【発明の効果】
【００１２】
本発明に係る収納庫によれば、収納庫の扉の裏面に設けられる収納具の構造を簡素化することができる。
【図面の簡単な説明】
【００１３】
【図１】本実施形態に係る収納装置の概略構成を示す図であり、（ａ）は収納装置の正面図を示し、（ｂ）は収納装置の右側面図を示している。
【図２】図１において、小型トレー及び大型トレーが扉に取り付けられた収納庫の状態を示す図である。
【図３】（ａ）は、小型トレー及び大型トレーが取り付けられた扉を上方から見た状態を示す上面図であり、（ｂ）は、当該扉を裏面側から見た状態を示す平面図である。
【図４】（ａ）は、本実施形態に係る扉を裏面側から見たときの扉の構成を示す平面図であり、（ｂ）は、（ａ）のＡ−Ａ断面図である。
【図５】（ａ）は、本実施形態に係る小型トレーの構成を示す上面図であり、（ｂ）は、小型トレーの構成を示す正面図である。
【図６】本実施形態に係る小型トレーの右前面斜視図である。
【図７】本実施形態に係る小型トレーの左裏面斜視図である。
【図８】（ａ）は、本実施形態に係る大型トレーの構成を示す上面図であり、（ｂ）は、大型トレーの構成を示す正面図である。
【図９】本実施形態に係る大型トレーの左前面斜視図である。
【図１０】本実施形態に係る大型トレーの左裏面斜視図である。
【図１１】小型トレー及び大型トレーを扉に取り付ける方法を説明するための図である。
【図１２】小型トレー及び大型トレーを扉に取り付ける方法を説明するための図である。
【図１３】小型トレー及び大型トレーを扉に取り付ける方法を説明するための図である。
【図１４】小型トレー及び大型トレーを扉に取り付ける方法を説明するための図である。
【図１５】本実施形態に係る収納庫の他の構成であって、小型トレーが取り付けられた扉を裏面側から見た状態を示す平面図である。
【図１６】本実施形態に係る収納庫の他の構成であって、大型トレーが取り付けられた扉を裏面側から見た状態を示す平面図である。
【発明を実施するための形態】
【００１４】
本発明の実施形態について、図面を用いて以下に説明する。図１は、本実施形態に係る収納装置１の概略構成を示す図であり、図１（ａ）は収納装置１の正面図を示し、図１（ｂ）は収納装置１の右側面図を示している。図１に示す収納装置１は、６個の収納庫１０を含んでいる。収納装置１に含まれる収納庫１０の数は限定されず、１個でもよいし複数個でもよい。尚、各図において、収納庫１０の左右（幅）方向をＸ方向、前後（奥行）方向をＹ方向、上下（高さ）方向をＺ方向とする。
【００１５】
収納装置１は、例えば、オフィスに設置され、従業員（ユーザ）ごとに１個の収納庫１０が割り当てられる。各ユーザは、業務で使用する、ノート型パーソナルコンピュータ（ノートパソコン）等のモバイル端末、ファイルボックス、各種の書類、文具等の小物類などの多様な収納物を、収納庫１０に収納する。収納庫１０は、前面に開口部を有する収納庫本体１１と、収納庫本体１１に取り付けられた鍵付きの扉２０とを備えている。尚、扉２０の鍵は省略されてもよい。図１に示す収納庫１０では、扉２０の右端にヒンジ部（図示せず）が設けられており、扉２０は、右側を支点にして回動し、収納庫本体１１の開口部を開閉する。
【００１６】
扉２０の裏面には、収納具としての小型トレー及び大型トレーが取り付けられており、収納物（例えば、文具等の小物類、封筒、ハガキ等の郵便物、雑誌、書類など）を収納することが可能となっている。例えば、小型トレーには、主に文具等の小物類など比較的小さい収納物を収納することができ、大型トレーには、主に封筒、ハガキ等の郵便物、雑誌、書類等、比較的大きい収納物を収納することが可能となっている。尚、小型トレー及び大型トレーに収納される収納物はこれらに限定されないが、本明細書では、説明の便宜上、主な収納物の種類や大きさに対応させて、一方の収納具を「小型トレー」と称し、他方の収納具を「大型トレー」と称するものとする。また、ここでは一例として、本発明に係る第１収納具が、小型トレーに対応し、本発明に係る第２収納具が、大型トレーに対応するものとして説明する。
【００１７】
図２には、小型トレー１００及び大型トレー２００が扉２０の裏面に取り付けられた収納庫１０を表側から見た状態を示している。図２では、小型トレー１００及び大型トレー２００を点線で示している。図３（ａ）は、扉２０を上方から見た状態を示す上面図であり、図３（ｂ）は、扉２０を裏面側から見た状態を示す平面図である。扉２０の裏面には、小型トレー１００及び大型トレー２００の他に、鍵を構成する機構２２が取り付けられている。
【００１８】
また、扉２０の上側には投入部２１（開口部）が設けられており、収納庫１０の外部（表側）から収納物を投入することが可能となっている。投入部２１から投入された収納物（例えば、郵便物）は、例えば大型トレー２００に収納される。投入部２１は、Ａ４サイズの書類を横向きに投入できる幅を有しているが、これに限定されず、Ａ４サイズの書類を縦向きに投入できる幅を有してもよい。このように、本実施形態に係る収納庫１０の収納空間は、収納庫本体１１の収納空間Ｓ１０（図２（ｂ）参照）と、扉２０の裏面における、小型トレー１００の収納空間Ｓ１１、Ｓ１２及び大型トレー２００の収納空間Ｓ２（図３（ａ）参照）とで構成される。
【００１９】
次に、扉２０、小型トレー１００、及び大型トレー２００のそれぞれの具体的な構成について説明する。
【００２０】
先ず、扉２０の具体的な構成について、図４を用いて説明する。図４（ａ）は、扉２０を裏面側から見たときの扉２０の構成を示す平面図であり、図４（ｂ）は、図４（ａ）のＡ−Ａ断面図である。扉２０は、全体として矩形状に形成されており、周縁部において裏面側に折り曲げられた折り曲げ部（左側折り曲げ部２０ａ、右側折り曲げ部２０ｂ、下側折り曲げ部２０ｃ、上側折り曲げ部２０ｄ）を有している。上記折り曲げ部と扉２０の裏面との間には、間隙（左側間隙２４ａ、右側間隙２４ｂ、下側間隙２４ｃ、上側間隙２４ｄ）が形成されている。下側折り曲げ部２０ｃには、小型トレー１００と係合するためのスリット２３（受容部、被係合部）が設けられている。また、図４（ａ）に示すように、扉２０の上側には投入部２１が形成されており、扉２０の中央右側には鍵の機構２２を取り付けるための開口部２２ａが形成されている。尚、扉２０は周知の構成を適用することができる。
【００２１】
次に、小型トレー１００の具体的な構成について、図５〜図７を用いて説明する。図５（ａ）は小型トレー１００の構成を示す上面図であり、図５（ｂ）は小型トレー１００の構成を示す正面図である。図６は小型トレー１００の右前面斜視図であり、図７は小型トレー１００の左裏面斜視図である。
【００２２】
図５（ａ）及び（ｂ）に示すように、小型トレー１００は、底板１１０と、底板１１０から上方に立ち上がる側板１２０と、側板１２０の左端部から左方向に突出する左側挿入部１０１と、側板１２０の右端部から右方向に突出する右側挿入部１０２と、底板１１０の裏面から下方向に突出する下側挿入部１０３とを備えている。図５（ａ）及び図７に示すように、側板１２０は、前方及び側方のみ設けられており、後方は開口された状態になっている。小型トレー１００は、側板１２０の開口側が扉２０の裏面に対向するようにして扉２０に取り付けられる。底板１１０と側板１２０とで囲まれた領域Ｓ１（図５、図７参照）は、小型トレー１００が扉２０に取り付けられた状態において、収納空間Ｓ１となる。側板１２０の内側には、収納空間Ｓ１を仕切るための内板１２０ａが設けられている。
【００２３】
左側挿入部１０１は、側板１２０の左端部の上側（上端部）に設けられている。また左側挿入部１０１の上部には、下方から上方に向かって先細りする勾配１０１ａ（傾斜部）が設けられている。右側挿入部１０２は、側板１２０の右端部の上下方向の略全体に亘って設けられている。また右側挿入部１０２の下側には、上方から下方に向かって先細りする勾配１０２ａ（傾斜部）が設けられている。尚、勾配１０１ａ、１０２ａは、直線状に形成されてもよいし、曲線状に形成されてもよい。下側挿入部１０３は、底板１１０の下方において、左右方向の略全体に亘って設けられている。図３及び図４に示すように、左側挿入部１０１は、扉２０の左側折り曲げ部２０ａと裏面との間に形成された左側間隙２４ａに挿入され、右側挿入部１０２は、扉２０の右側折り曲げ部２０ｂと裏面との間に形成された右側間隙２４ｂに挿入され、下側挿入部１０３は、扉２０の下側折り曲げ部２０ｃと裏面との間に形成された下側間隙２４ｃに挿入される。
【００２４】
また図５及び図７に示すように、小型トレー１００には、大型トレー２００と係合するための下側スリット１１１、左側スリット１１２ａ、１１２ｂ及び右側スリット１１３ａ、１１３ｂが設けられている。下側スリット１１１は、底板１１０に２個所設けられており、左側スリット１１２ａ、１１２ｂは、側板１２０の左端部に１箇所ずつ設けられており、右側スリット１１３ａ、１１３ｂは、側板１２０の右端部に１箇所ずつ設けられている。
【００２５】
また図５及び図６に示すように、小型トレー１００の下端部（例えば、下側挿入部１０３）には、扉２０の下側折り曲げ部２０ｃに係合する上がり止め部１０４と、下側折り曲げ部２０ｃのスリット２３（図４（ａ）参照）に受容（係合）される突起状の規定部１０５とが設けられている。上がり止め部１０４は、下側挿入部１０３の一部が切り起こされて爪状に形成されており、下側挿入部１０３が下側間隙２４ｃに挿入されると、下側折り曲げ部２０ｃに引っ掛かる（係合する）ことにより、小型トレー１００の上方向への移動が抑制される。尚、上がり止め部１０４を押し込むと、上記係合が解除され、下側間隙２４ｃから小型トレー１００を上方向に移動することが可能となる。規定部１０５は、扉２０に対する小型トレー１００の左右方向の位置を規定するとともに、小型トレー１００が扉２０の裏面に取り付けられた状態で左右方向に移動することを防ぐ。
【００２６】
尚、小型トレー１００は、収納空間Ｓ１に収納された収納物を視認可能な透明性を有する材料で構成されてもよいし、透明性を有しない金属材料で構成されてもよい。例えば、小型トレー１００の全体又は小型トレー１００の側板１２０が、透明樹脂材料で構成されてもよいし、側板１２０に等間隔に複数のスリットや開口部が形成されてもよい。
【００２７】
次に、大型トレー２００の具体的な構成について、図８〜図１０を用いて説明する。図８（ａ）は大型トレー２００の構成を示す上面図であり、図８（ｂ）は大型トレー２００の構成を示す正面図である。図９は大型トレー２００の左前面斜視図であり、図１０は大型トレー２００の左裏面斜視図である。
【００２８】
図８（ａ）及び（ｂ）に示すように、大型トレー２００は、底板２１０と、底板２１０から上方に立ち上がる側板２２０と、側板２２０の左端部から左方向に突出する左側突起部２２２ａ、２２２ｂと、側板２２０の右端部から右方向に突出する右側突起部２２３ａ、２２３ｂと、底板２１０の裏面から下方向に突出する下側突起部２１１とを備えている。図８（ａ）及び図１０に示すように、側板２２０は、前方及び側方のみ設けられており、後方は開口された状態になっている。側板２２０の前方右側（扉２０の開閉側）には、下方から上方に向かって先細りする勾配２２０ａ（傾斜部）が設けられている。尚、勾配２２０ａは、直線状に形成されてもよいし、曲線状に形成されてもよい。大型トレー２００は、側板２２０の開口側が扉２０の裏面に対向するようにして小型トレー１００に取り付けられる。底板２１０と側板２２０とで囲まれた領域Ｓ２（図８、図１０参照）は、大型トレー２００が小型トレー１００に取り付けられた状態において、収納空間Ｓ２となる。収納空間Ｓ２は、Ａ４サイズの書類を横置きできる幅を有しているが、これに限定されず、Ａ４サイズの書類を縦置きできる幅を有してもよい。側板２２０の中央下側には収納空間Ｓ２にアクセス可能な開口部２２１が形成されている。開口部２２１は、左右（幅）方向に延伸して形成されている。例えば、ユーザは開口部２２１から収納空間Ｓ２内に手指を挿入して、収納空間Ｓ２の底に入り込んだ収納物（例えばメモやハガキなど）を収納空間Ｓ２内で移動させて整理することができる。
【００２９】
左側突起部２２２ａ、２２２ｂは、側板２２０の左端部の下側に設けられており、右側突起部２２３ａ、２２３ｂは、側板２２０の右端部の下側に設けられている。大型トレー２００は、下側全体が小型トレー１００の内部に挿入されることにより取り付けられる。具体的には、大型トレー２００の下側突起部２１１が小型トレー１００の下側スリット１１１（図５及び図７参照）に挿入（係合）され、大型トレー２００の左側突起部２２２ａ、２２２ｂのそれぞれが小型トレー１００の左側スリット１１２ａ、１１２ｂのそれぞれ（図５及び図７参照）に挿入（係合）され、大型トレー２００の右側突起部２２３ａ、２２３ｂのそれぞれが小型トレー１００の右側スリット１１３ａ、１１３ｂのそれぞれ（図５及び図７参照）に挿入（係合）されることにより、大型トレー２００が小型トレー１００に固定される。左側突起部２２２ｂ及び左側スリット１１２ｂと、右側突起部２２３ｂ及び右側スリット１１３ｂとは、それぞれ、上がり止めの機能を有している。
【００３０】
大型トレー２００は、小型トレー１００が扉２０に取り付けられた後、小型トレー１００の収納空間Ｓ１（図５及び図７参照）に挿入されて固定される。これにより、収納空間Ｓ１が分割されて、図３に示す収納空間Ｓ１１、Ｓ１２、Ｓ２が形成される。すなわち、大型トレー２００は、小型トレー１００の収納空間Ｓ１を仕切る仕切り部（仕切りトレー）としての機能も有する。尚、小型トレー１００の内板１２０ａが省略されている場合は、収納空間Ｓ１１、Ｓ１２により１つの収納空間を形成する。
【００３１】
ここで、図３（ｂ）に示すように、大型トレー２００の側板２２０は、その上端部の位置が扉２０の投入部２１より高くなるように形成されている。換言すると、扉２０の投入部２１は、大型トレー２００の上端部より低い位置に設けられている。これにより、投入部２１から投入された収納物（例えば、郵便物）は、大型トレー２００の側板２２０の上端部付近に当たって収納空間Ｓ２に収納されるようになる。また図３（ｂ）に示すように、大型トレー２００の開口部２２１は、小型トレー１００の上端部より高い位置に設けられている。これにより、開口部２２１を介して収納空間Ｓ２へアクセスすることが可能となる。
【００３２】
大型トレー２００は、収納空間Ｓ２に収納された収納物を視認可能な透明性を有する材料を含んで構成されている。例えば、大型トレー２００の全体又は大型トレー２００の側板２２０が、透明樹脂材料で構成されている。尚、上記収納物を視認できればよいため、例えば、側板２２０に等間隔に複数のスリットや開口部が形成されていてもよい。
【００３３】
次に、小型トレー１００及び大型トレー２００を扉２０に取り付ける方法の一例について、図１１〜図１４を用いて説明する。
【００３４】
先ず、鍵の機構２２（図３参照）が取り付けられていない扉２０（図１１（ａ）参照）の裏面に小型トレー１００を載置し、その後、小型トレー１００の左側挿入部１０１を、扉２０の左側折り曲げ部２０ａと裏面との間に形成された左側間隙２４ａに挿入する（図１１（ｂ）参照）。次に、左側挿入部１０１を支点にして小型トレー１００を右回転させて、右側挿入部１０２を、右側折り曲げ部２０ｂと裏面との間に形成された右側間隙２４ｂに挿入する（図１２（ａ）参照）。尚、小型トレー１００を回転させる際に、左側挿入部１０１を必要に応じて上方へ移動（又は右回転）させてもよい。ここで、左側挿入部１０１の上部には、下方から上方に向かって先細りする勾配１０１ａが設けられ、右側挿入部１０２の下部には、上方から下方に向かって先細りする勾配１０２ａが設けられているため、小型トレー１００を、扉２０の端部に接触させることなくスムーズに回転させることができる。このため、右側挿入部１０２を、右側間隙２４ｂに挿入し易くなる。
【００３５】
次に、小型トレー１００をさらに回転させて略平行な状態にした後、小型トレー１００を下方に平行移動させる（図１２（ｂ）参照）。次に、小型トレー１００の下側挿入部１０３を、下側折り曲げ部２０ｃと裏面との間に形成された下側間隙２４ｃに挿入して、上がり止め部１０４を扉２０の下側折り曲げ部２０ｃに嵌合（係合）させるとともに、規定部１０５をスリット２３に嵌合（係合）させる（図１３（ａ）参照）。
【００３６】
次に、大型トレー２００を、小型トレー１００の上方から小型トレー１００の内部に挿入する（図１３（ｂ）参照）。具体的には、大型トレー２００の下側突起部２１１、左側突起部２２２ａ、２２２ｂ、及び右側突起部２２３ａ、２２３ｂ（図８参照）を、それぞれ、小型トレー１００の下側スリット１１１、左側スリット１１２ａ、１１２ｂ、及び右側スリット１１３ａ、１１３ｂ（図５参照）に係合させる（図１４（ａ）参照）。
【００３７】
最後に、扉２０の開口部２２ａに鍵の機構２２を取り付ける（図１４（ｂ）参照）。機構２２は、周知の構成を適用することができる。
【００３８】
以上のようにして、小型トレー１００及び大型トレー２００は、扉２０に取り付けられる。上記構成によれば、小型トレー１００を、扉２０に、直接、着脱自在に取り付けることができる。また、大型トレー２００を、小型トレー１００（又は扉２０）に、簡易的に接、着脱自在に取り付けることができる。また、小型トレー１００を、小型トレー１００及び扉２０とは別体の部材（例えば、固定用ファスナ、固定用ビス、接着剤など）を介在することなく、扉２０に固定することができる。同様に、大型トレー２００を、大型トレー２００及び小型トレー１００とは別体の部材を介在することなく小型トレー１００に固定することができる。
【００３９】
本実施形態に係る収納庫１０によれば、扉２０の裏面に収納空間Ｓ１１、Ｓ１２、Ｓ２が形成されるため収納庫１０の収納効率を高めることができる。また、一般的に収納庫本体１１の収納空間Ｓ１０（図２（ｂ）参照）の手前側に置かれ易い小物類を小型トレー１００に収納することができるため、収納庫本体１１の収納空間Ｓ１０を有効に利用でき、また使い勝手が良くなるため収納庫１０全体の利便性を高めることができる。また、小型トレー１００は、簡易な構成により、扉２０の基本的な構造である折り曲げ部を利用して、簡単に扉２０の裏面に取り付けることができる。
【００４０】
また、大型トレー２００は、透明性を有しているため、収納された収納物を視認し易くなる。また、扉２０の投入部２１から投入された収納物は、大型トレー２００の側板２２０により、収納空間Ｓ２に誘導され易くなるため、収納庫１０内が乱雑になることを防ぐことができる。また、大型トレー２００の側板２２０には、勾配２２０ａが設けられているため、大型トレー２００に収納された収納物を容易に取り出すことができる。さらに、小型トレー１００を扉２０の左側間隙２４ａと右側間隙２４ｂと下側間隙２４ｃとに挿入して取り付けることによって、扉２０の下方域の３辺が小型トレー１００と接することになるため、扉２０の剛性を高めることができる。
【００４１】
ここで、本実施形態に係る収納庫１０では、小型トレー１００又は大型トレー２００の何れか一方が省略されてもよい。例えば、図１５に示すように、扉２０に小型トレー１００のみが取り付けられ、大型トレー２００が省略されてもよい。また図１５に示す構成では、さらに、投入部２１が省略されてもよい。また例えば、図１６に示すように、扉２０に大型トレー２００のみが取り付けられ、小型トレー１００が省略されてもよい。図１６に示す構成では、大型トレー２００は、小型トレー１００と同様な構造（例えば、左側挿入部、右側挿入部、下側挿入部）により扉２０に取り付けられてもよいし、固定用ファスナ等により扉２０に取り付けられてもよい。よって、本発明に係る第１収納具が、上述した大型トレー２００に対応し、本発明に係る第２収納具が、上述した小型トレー１００に対応してもよい。
【００４２】
上述した収納庫１０では、大型トレー２００が小型トレー１００内に挿入されることにより、小型トレー１００及び大型トレー２００が一体的な収納具として構成されているが、本実施形態に係る収納庫１０は、これに限定されず、小型トレー１００及び大型トレー２００が、それぞれ、独立して扉２０の裏面に取り付けられてもよい。例えば、大型の扉２０の場合に、扉２０の下側に小型トレー１００が取り付けられ、扉２０の上側に、大型トレー２００が小型トレー１００から離間して取り付けられてもよい。
【００４３】
本実施形態に係る収納庫１０は、扉２０が、左側を支点にして右側が開閉可能な構成であってもよい。この場合、小型トレー１００及び大型トレー２００は、ぞれぞれ、左右が反転した構成であればよい。
【００４４】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００４５】
１  収納装置、１０  収納庫、１１  収納庫本体、２０  扉、２０ａ  左側折り曲げ部、２０ｂ  右側折り曲げ部、２０ｃ  下側折り曲げ部、２０ｄ  上側折り曲げ部、２１  投入部、２２  （鍵の）機構、２２ａ  開口部、２３  スリット、２４ａ  左側間隙、２４ｂ  右側間隙、２４ｃ  下側間隙、２４ｄ  上側間隙、１００  小型トレー、１０１  左側挿入部、１０１ａ  勾配、１０２  右側挿入部、１０３  下側挿入部、１０４  上がり止め部、１０５  規定部、１１０  底板、１１１  下側スリット、１１２ａ、１１２ｂ  左側スリット、１１３ａ、１１３ｂ  右側スリット、１２０  側板、１２０ａ  内板、２００  大型トレー、２１０  底板、２１１  下側突起部、２２０  側板、２２０ａ  勾配、２２１  開口部、２２２ａ、２２２ｂ  左側突起部、２２３ａ、２２３ｂ  右側突起部、Ｓ１，Ｓ２，Ｓ１０，Ｓ１１，Ｓ１２  収納空間。
【図１】
2019058276.tif 000003
【図２】
2019058276.tif 000004
【図３】
2019058276.tif 000005
【図４】
2019058276.tif 000006
【図５】
2019058276.tif 000007
【図６】
2019058276.tif 000008
【図７】
2019058276.tif 000009
【図８】
2019058276.tif 000010
【図９】
2019058276.tif 000011
【図１０】
2019058276.tif 000012
【図１１】
2019058276.tif 000013
【図１２】
2019058276.tif 000014
【図１３】
2019058276.tif 000015
【図１４】
2019058276.tif 000016
【図１５】
2019058276.tif 000017
【図１６】
2019058276.tif 000018